(57)【特許請求の範囲】
【請求項１】
所定濃度の水素と酸素とを含有する混合気体を自然呼吸下で所定時間継続して吸引することで生体の神経活動及び／又は血液循環活動を促進する生体活性化方法を行うための水素発生装置であって、
電池と、該電池から電力供給を制御する制御基板と、該制御基板により電池の陽極及び陰極と通電又は遮電される一対の陽陰電極と、を備える本体カバー部材と、
該本体カバー部材に取り付けられ、取り付けた状態で前記一対の陽陰電極が内部に挿入される、貯水可能な電解槽と、
貫通孔を有するノズル部と、
該ノズル部と前記電解槽の端部とを流体的に接続するとともに環境空気を取り込む流路を有する混合部と、を備える、水素発生装置。
【請求項２】
自然呼吸下における通常空気と、水を電気分解する水素発生装置からの放出された前記混合気体とを自然呼吸下における通常空気に混合させて、酸素濃度が通常空気と同程度で吸引する、請求項１に記載の水素発生装置。
【請求項３】
前記吸引は、自然呼吸下において１０分程度行う、請求項２に記載の水素発生装置。
【発明の詳細な説明】
【技術分野】
【０００１】
本発明は、所定濃度の水素を所定時間吸引することで、生体の神経活動及び／又は血液循環活動を促進する生体活性化方法を行うための水素発生装置に関する。
【背景技術】
【０００２】
近年、神経変性疾患及び急性肺障害等の様々な動物疾患実験や、メタボリック症候群及び糖尿病等における人間の臨床実験で水素の有効性が注目され、医療応用における種々の研究が盛んに行われている。水素は、老化の促進や動脈硬化及び癌等種々の疾患を引き起こす原因となっている悪玉活性酸素（＝ヒドロキシルラジカル）のみを体内から除去する効用があるとされ、体の組織や細胞に悪影響を及ぼさないことから、静脈投与、水溶液の経口投与、気体吸入等、体内へ取込む手法は幅広い。【０００３】
特に活性酸素が身体に発生しやすい、運動時や、飲食時、喫煙時、紫外線・汚染環境下での滞在時、睡眠不足、長時間労働等の高いストレスを受けた時等の種々の状態における老化の防止や美容・健康促進のために、水素を身体に取り入れることが推奨されている。【０００４】
しかしながら、従来、医療治験が散見されるものは水素を含有する水溶液の投与や点眼等であり、気体吸引についての明確な治験は提供されていなかった。また、従来の治験で目的とされてきたものは水素摂取による経日〜経年効果であり、即時、短時間の心身への効果に注目した治験結果は存在しなかった。【０００５】
また、昨今の禁煙ブームによる疑似電子たばこや、副流煙を放出しないたばこ等の市場拡大に鑑みると、健康促進につながる水素を喫煙する潜在ニーズは大きいものと考えられる。その反面、水素吸引による心身への効果が憶測・感情に頼っている市場という懸念も指摘されている。したがって、水素の摂取によって実際にどのような生体反応を生じさせるかの治験の必要性が求められている。【０００６】
さらに、水素発生方法として概ね２つの方法があり、例えば特許文献１のように、マグネシウム粒子やアルミニウム粒子等と水との化学反応等の水素発生化学反応を利用したものや、例えば特許文献２のように水の電気分解方法が考えられるが、上記治験が提供された場合に、これに従って所望時間に所望量の水素を摂取させる具体的な構成の提供も求められる。
【先行技術文献】
【特許文献】
【０００７】
【特許文献１】特開２００４−４１９４９号公報
【特許文献２】特願２０１４−０１９６４０号公報
【発明の開示】
【発明が解決しようとする課題】
【０００８】
本発明は、以上の事情に鑑みて創作されたものであり、所定時間継続して所定濃度の水素ガスを吸引することにより迅速に良好な脳活性化などの心理生理的効果を生じさせることができる生体の神経活動及び／又は血液循環活動を促進する生体活性化方法を提供することを目的としている。【０００９】
また、本発明は、この生体活性化方法を行うために、ユーザが場所・時を選ばず簡単に水素ガスを吸引することができる水素発生装置を具体的に提供することを目的としている。
【課題を解決するための手段】
【００１０】
上記の課題を解決すべく、本発明の生体の神経活動及び／又は血液循環活動を促進する生体活性化方法では、
所定濃度の水素と酸素とを含有する混合気体を自然呼吸下で所定時間継続して吸引する。
【００１１】
具体的には、自然呼吸下における通常空気と、水を電気分解する水素発生装置からの放出された前記混合気体とを自然呼吸下における通常空気に混合させて、酸素濃度が通常空気と同程度で経口等吸引する。【００１２】
さらに詳細には、前記吸引は、自然呼吸下において１０分程度行うことが好ましい。【００１３】
所定時間継続して所定濃度の水素ガスを鼻や口から経口等吸引する本発明の方法を実行すると、後述する治験から明白なように迅速に良好な心理生理的効果を生じさせることができる。とりわけ脳活性化において顕著である。本発明によれば、生体への水素摂取において具体的な摂取方法・良好な心理生理的効果を提供した点で大きく有利である。詳細には、水を電気分解することで水素と酸素とを発生させ、自然呼吸させながら環境空気とともに１０分程度経口吸引させることが推奨される。電気分解法を利用すると電力供給量に応じて好ましい水素量を肺動脈から摂取させることができる。これと同時に、環境空気における酸素と水素の濃度量（酸素は環境空気下多く含まれる）との相関上、酸素の生体影響を排除して水素のみの生体効果を人体に与えることができる点でも有利である。
【００１４】
また、上記本発明の生体の神経活動及び／又は血液循環活動を促進する生体活性化方法を具体的に実行し、通常のユーザが所望の生体効果を欲するときに水素摂取できるように本発明では、具体的に好適な水素発生装置を提供している。【００１５】
詳細には、本水素発生装置では、
電池と、該電池から電力供給を制御する制御基板と、該制御基板により電池の陽極及び陰極と通電又は遮電される一対の陽陰電極と、を備える本体カバー部材と、
該本体カバー部材に取り付けられ、取り付けた状態で前記一対の陽陰電極が内部に挿入される、貯水可能な電解槽と、
貫通孔を有するノズル部と、
該ノズル部と前記電解槽の端部とを流体的に接続するとともに環境空気を取り込む流路を有する混合部と、を備えることが好ましい。
【００１６】
本水素発生装置では、上述するように電気分解法を活用した携帯式の装置であり。場所・環境を問わず、ノズル部から水素を口や鼻を介して吸引でき、ユーザは短時間で所望の心理生理的効果を得ることができる。
【００１７】
本水素発生装置によれば、ユーザが携帯して自由に持ち運べるように充電式で電池を小型かつ安価でありながらも電池内蔵するスペースの確保や電解槽・電池間の遮水を確保し、さらに電解槽内の水分が減った状態で傾斜しても十分な水素ガス発生量を確保することができるため、ユーザが所望すれば場所を選ばず、簡単かつ短時間に上記心理生理的効果を得るべく水素を吸引することができる。
【発明の効果】
【００１８】
本発明の生体の神経活動及び／又は血液循環活動を促進する生体活性化方法及びこの方法を行うための水素発生装置によれば、所定時間継続して所定濃度の水素ガスを吸引することにより迅速に良好な脳活性化などの心理生理的効果を生じさせることができ、さらに、ユーザが場所・時を選ばず簡単に水素ガスを吸引することができる。
【図面の簡単な説明】
【００１９】
【図１】被験者の左右眼の平均の縮瞳率（ＣＲ値）を水素吸引前後で示した測定グラフ図が示されている。
【図２】被験者の水素吸引前後の人差指皮膚の上昇温度（℃）を別途測定した額皮膚の上昇温度（℃）とを水素吸引前後で示した測定グラフ図が示されている。
【図３】脳ストレス評価において被験者の水素吸引前後の平均を示したグラフ図が示されている。
【図４】脳の回転度評価において被験者の水素吸引前後の平均を示したグラフ図が示されている。
【図５】短期記憶、左右認知機能の評価において被験者の水素吸引前後の平均を示したグラフ図が示されている。
【図６】面的感情状態尺度の結果において被験者の水素吸引前後の平均を示したグラフ図が示されている。
【図７】本発明の電気分解式水素ガス吸引具の各部材について例示する組立分解図である。
【図８】図８は図７の電気分解式水素ガス吸引具の各方向から見た図を示しており、（ａ）は左側面図、（ｂ）は正面図、（ｃ）は右側面図、（ｄ）は底面図、（ｅ）は天面図を示している。
【図９】図７〜図８の電気分解式水素ガス吸引具を図８（ｃ）のラインＡ−Ａに沿った断面図を示している。
【図１０】図７〜図９の電気分解式水素ガス吸引具を図８（ｂ）の紙面左手前上方から見た斜視図、（ｂ）は図８（ｂ）の紙面右手前上方から見た斜視図を示している。
【発明を実施するための形態】
【００２０】
以下、本発明の生体の神経活動及び／又は血液循環活動を促進する生体活性化方法について例示し、その心理・生理効果の検証試験結果について説明する。
【００２１】
本方法は、上述するように水素を経口吸引することによる神経活動及び／又は血液循環活動の促進を目的とするものであり、その検証試験は水素を経口等吸引することで副交感神経が優位になり、疲れが低減することを生理指標で確認し、生理指標が変化するまでの時間も併せて確認するためのものである。
【００２２】
本方法を使用した検証試験では、概ね水素発生装置（後述する電気分解式水素ガス吸引具１００）で産生された水素を経口吸引する。具体的には、水素発生器装置１００で発生させた水素を自然呼吸下で約１０分間吸引する。なお１1分間当たりの水素の発生量は、電気分解法により１分間あたり８ｃｃの水素が発生する（同時に酸素も４ｃｃ発生する)ので、１分間に１２ｃｃの酸素・水素の混合ガスが発生する。この混合ガスを自然呼吸下で吸引することになる。なお、通常、自然呼吸では一分間あたり、成人で５リットル程度の空気を吸引することから発生した混合ガスをすべて吸引したとして呼気中に混合ガスが最大０．２４％（水素０．１８％、酸素０．０６％）含まれることになる。
【００２３】
なお、水素発生装置１００から発生する気体は水素及び酸素であり、混合ガスにおいて大気よりも水素濃度及び酸素濃度ともに増加することになるが、各濃度増加分は上記のように水素０．１８％、酸素０．０６％であり、一方、大気中の各濃度が水素０．５×１０−４％（＝０．５ｐｐｍ）、酸素約２１％である。したがって、混合ガスにおける酸素濃度の増加はほとんどなく、水素濃度のみが増加していると考えることができる。
【００２４】
被験者は、選定された２０名であり、年齢及び試験時間帯（午前と午後）を考慮して２群に割付を行い、１日あたり１０名ずつで測定を実施した。選定された被験者は、２０〜３０代の健常な女性であり、次の者を除外した。
（１）)喫煙習慣のある者、（２）冷え性の者(夏でも手足の冷えを感じる者なども含まれる)、（３）現在、何らかの疾患を患い薬物治療を受けている者、（４）過去1ケ月において、疾患治療を目的とした、薬物の摂取、塗布習慣のある者(感冒は、除く、花粉症治療歴は含む)、（５）肝、腎、心、肺、血液等の重篤な障害の既往歴・現病歴のある者、（６）収縮期血圧が１６０ｍｍＨｇ以上または拡張期血圧が１００ｍｍＨｇ以上などの高血圧症状を有する者、（７）過去１ケ月間において２００ｍＬ、又は３ケ月以内に４００ｍＬを超える献血をした者、（８）妊娠中、授乳中あるいは妊娠の可能性のある者、（９）アトピー性皮膚炎など皮膚疾患症状を有する者、（１０）過去６ケ月以内に試験部位に手術を受けた者、（１１）現在、他ヒト臨床試験に参加している者、他ヒト臨床試験参加後、１ケ月間が経過していない者、（１２）その他、調査担当者が本試験の対象として不適当と判断した者。
【００２５】
また、被験者には試験参加時に、（１）前日に十分な睡眠(７時間程度)を取る事、（２）試験前の食事でカレー、キムチなどの刺激物、コーヒーや紅茶などのカフェイン飲料を取らない事、（３）測定当日、香水、パフユームなど香りのある香粧品は、つけない事(無香料は、可)、（４）測定当日は、化粧を落とし、素顔で測定する事に承諾できる事、（５）試験当日(測定前で良い)は、メガネ、コンタクトレンズを外して測定する事、を注意事項として課した。
【００２６】
試験方法は、以下の通りである。
（１）本試験では、各被験者は、水素を吸引するものとする。
（２）各被験者に対し、水素を吸引しながら、後述の検査・評価を行うものとし、吸引前後の各評価を比較検討することで、水素による生理的効果を検証する。
（３）測定用の椅子に座り、開眼中の被験者に対し、試験責任者又は試験協力者が、コントロールとなる水素発生器具(水素が発生しない)を準備し、それらを被験者に譲漢する。被験者は、本水素発生装置である電気分解式水素ガス吸引具１００のノズル５（図７〜図７０参照）又はこれと接続するチューブ部に口をつけ、約１０分間通常呼吸を行うこととする。その後、          に示す測定を随時行うこととする。その後、被験サンプルとして水素が発生する電気分解式水素ガス吸引具１００のノズル５又はこれと接続するチューブ部を口につけ、同様に１０分間水素を吸引する。その後、各測定を行うこととする。試験責任者又は試験協力者は、被験者が水素を吸引している間に被験者に異常が認められた場合には、直ちに吸引を中止するものとする。水素の吸引を中止した場合、施術者は、中止した旨及び吸引時間を症例報告書に記録するものとする。
（４）試験責任者は、試験期間中に被験者に有害事象が発生していないかを確認するものとする。
【００２７】
本生体の神経活動及び／又は血液循環活動を促進する生体活性化方法の検証試験では、具体的に、以下の検査をし、評価を行った。
１）自律神経系の測定
自律神経系の作用の解析には、高感度であるが、被験者の負担も少なく、短時間で計測できる瞳孔対光反応測定法と手掌部（人差し指）の皮膚温計測法を実施する。以下に、それらの測定法について解説する。
【００２８】
１−１）瞳孔対光反射
瞳孔径を計測するためのゴーグル用の計測具を装着後、暗視状態に慣れた（通常２分間暗視状態)ところで、瞳孔部に非常に弱い赤色の発光ダイオード光を０．２秒〜１．０秒程度の短時間照射することで対光反射により瞳孔が一過性に縮瞳し、その後瞳孔は速やかに拡張するという反応が観察される。そこで、施術前後でこの間の縮瞳・散瞳反応中の瞳孔径変化を高感度のＣＣＤカメラで撮影（測定器機：イリスコーダー、浜松ホトニクス製）し、瞳孔径の変化や縮瞳速度および散瞳速度を解析することで自律神経活動が交感神経活動優位であるのか、あるいは、副交感神経活動が優位であるのかを判断する。副交感神経活動が優位な場合は、光を感じた時に瞳孔径がより小さくなるので縮瞳率（ＣＲ）が大きくなるので縮瞳率（ＣＲ）が大きいほど副交感神経活動が優位になる。
【００２９】
１−２）指先温度
交感神経活動の優劣位により末梢部位の皮膚温（今回は、額中央部と人差し指第１関節腹側部を測定）が変化するという生理反応に着目し、水素水飲用前後での皮膚温の変化を温度センサーにより経時的に計測する。なお、温度センサー本体は、厚さ１ｍｍ、直径３ｍｍ程度の大きさであり、センサーから有線で記録計に皮膚温変化を計測する。
【００３０】
２）中枢神経系の測定
水素による中枢神経活動-の作用については、脳の活動度やストレス度を評価する目的で利用されている脳ストレステストを実施するともにフリッカー装置により脳の活動度（疲労度）を計測する。さらに脳実行機能計により、視野機能や皮膚感覚機能、重心バランス機能など-の影響について測定する。なお、気分感情変化については、多面的感情状態尺度をもちいて、集中力、眠気などを問診する。以下に、それぞれの計測について概説する。
【００３１】
２−１）脳ストレステスト
モニター画面に表示された数字一文字-数字一文字(１→あ→２→い→３→う・・・→と→２０まで)を順番にタッチするテストを行うことで脳ストレスおよび脳の回転度(活動度)を評価、解析する。この計測をコントロールおよび被験サンプル（水素）を吸引した直後に行う。
【００３２】
２−２）フリッカー測定
周波数が７０〜３０Ｈｚに変化する緑色のＬＥＤ光の点滅する周波数(フリッカー値)を判断することで脳の活動度(疲労度としてもみなすことができる)を測定する。具体的には、７０Ｈｚから連続的に周波数を減少させて緑色が点滅になったと感じた時の周波数を判定する。この計測を５回繰り返す。この計測をコントロールおよび被験サンプル(水素)を吸引した直後に行う。
【００３３】
２−３）脳機能測定  脳実行機能（左右認知、視野機能、短期記憶、皮膚感覚、重心バランスなどを総合的に解析する）への作用を解析（測定器機;脳実行機能計、アニマ株式会社製）する。具体的には、パソコンに出ている白い丸が中心線から左右どちらにあるかを判断し、出来るだけはやくボタンを押すテストや左右の振動版のどちらかが振動するか出来るだけ早く判断しボタンを押すテスト、また、重心動揺計上で立位静止30秒間の重心移動距離を測定するなどを行う。この計測をコントロールおよび被験サンプル(水素)を吸引した直後に行う。
【００３４】
２−４）多面的感情状態尺度
「抑うつ・不安」、「倦怠」、「活動的快」、「非活動的快」の４下位尺度２０項目を用いた。「全く感じていない＝０」から「はっきり感じている＝４」の５段階評価で主観的評価をコントロールおよび被験サンプル(水素)を吸引した直後に行う。
【００３５】
上述する試験結果について説明する。
１−１）の瞳孔対光反射の結果は下記表１の通りであり、図１はその被験者のうち不適正な者を除く１７名の左右眼の平均の縮瞳率（ＣＲ値）を水素吸引前後で示した測定グラフ図が示されている。この表１及び図１から水素吸引により縮瞳率（ＣＲ値）が有意に増加しており、副交感神経活動が優位になったことが確認された。この結果は水素吸引による鎮静効果が示唆されたものと考えることができる。
【表１】
0006519717.tif 000002
【００３６】
１−２）指先温度の結果は下記表２の通りであり、図２は図１と同様に被験者１７名の試験前後の人差指皮膚の上昇温度（℃）を別途測定した額皮膚の上昇温度（℃）とを水素吸引前後で示した測定グラフ図が示されている。この表２及び図２から水素吸引により抹消皮膚温が有意に上昇し、交感神経活動が抑制され、副交感神経活動が優位になったことが示唆された。
【表２】
0006519717.tif 000003
【００３７】
２−１）脳ストレステスト及び２−２）フリッカー測定の結果（脳年齢評価も含む）は下記表３の通りであり、図３は表３から点数評価した脳ストレス評価について、図１、図２と同様に被験者１７名の水素吸引前後の平均を示したグラフ図が示されている。この表３及び図３からは水素吸引により脳ストレスが有意に減少し、ストレス低減効果が示唆された。また、図４は表３から点数評価した脳の回転度評価について、図１〜図３と同様に被験者１７名の水素吸引前後の平均を示したグラフ図が示されている。この表３及び図４からは水素吸引により脳の回転度得点が有意に上昇し、脳機能の活性化が示唆された。
【表３】
0006519717.tif 000004
【００３８】
２−３）脳機能測定の結果は下記表４の通りであり、視覚、聴覚、指叩、握力、重心動揺、認知機能（左右認知、短期記憶）を点数評価した結果である。注目する結果として短期記憶、左右認知機能が挙げられる。図５には、図１〜図４と同様に被験者１７名の水素吸引前後の平均を示したグラフ図が示されている。この表４及び図５からは水素吸引により短期記憶、左右認知機能の「顕著な改善」が示唆された。
【表４】
0006519717.tif 000005
【００３９】
２−４）多面的感情状態尺度の結果が図６に示されている。図６においても図１〜図５と同様に被験者１７名の水素吸引前後の平均を示したグラフ図が示されている。この結果は、水素吸入で疲労感、自発的ストレスが減少し、一方、スッキリ感、集中力、爽快感が有意に上昇していることが示された。
【００４０】
次に、本発明の生体の神経活動及び／又は血液循環活動を促進する生体活性化方法を行うために推奨される水素発生装置として電気分解式水素ガス吸引具１００の代表的な実施形態を、図７〜図１０を参照しながら詳細に説明するが、本発明は図示されるものに限られないことはいうまでもない。また、各図面は本発明を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００４１】
図７は、本発明の電気分解式水素ガス吸引具１００の各部材について例示する組立分解図である。また、図８は図７の電気分解式水素ガス吸引具１００の各方向から見た図を示しており、（ａ）は左側面図、（ｂ）は正面図、（ｃ）は右側面図、（ｄ）は底面図、（ｅ）は天面図を示している。本明細書において上下方向、縦方向と称するときは（ｂ）の紙面上下方向、紙面縦方向を意味し、幅方向、横方向、側部側と称するときは（ｂ）の紙面左右方向、紙面横方向、紙面左右側部側を意味している。
【００４２】
また、図９は図７〜図８の電気分解式水素ガス吸引具１００を図８（ｃ）のラインＡ−Ａに沿った断面図を示している。さらに、図１０は、図７〜図９の電気分解式水素ガス吸引具１００を図８（ｂ）の紙面左手前上方から見た斜視図、（ｂ）は図８（ｂ）の紙面右手前上方から見た斜視図を示している。
以下、電気分解式水素ガス吸引具１００について図７の組立分解図を主として参照しつつ説明し、説明の便宜上、他の図面について言及することとする。
【００４３】
前述するように図７は本水素ガス吸引具１００の各部材の構成例を示したものである。本体カバー１は、上方に開口し、該開口から縦方向に電池３６全体を挿入・内蔵する電池受容部４３と、電池受容部４３と縦方向に並列し電解槽１０の下部の縮径部４５を上方から挿入し嵌合できる形状を有する電解槽受容部４４と、を設けた樹脂製のケースである。なお、ここで使用する電池３６は充電式リチウム電池が好ましい。
【００４４】
本体カバー１は電池受容部４３側が長く、電解槽受容部４４側が上部が側方に傾斜するように切り取られた形状を有している。電池３６を本体カバー１の底部は、本体ボトムカバー６を蓋部材として電池受容部４３の底部を開放・閉鎖可能であり、組み立て時には電池３６を底部から挿入した後に本体ボトムカバー６で電池受容部４３の底部を閉鎖する。本体ボトムカバー６は十字穴付きネジ３８で閉鎖される。また、本体カバー１は電池受容部４３の側部両側で縦方向に電池３６を挟むように２枚の制御基板（電子基板）３３、４２が配設するスペースが設けられており、本体カバー１の側面側の制御基板３３は主制御基板であり、吸引部３２（芳香発生装置）とメッシュ電極１７（電極板）とへの電力供給を行う電解槽１０側の制御基板４２と、への電池３６からの電力供給を制御する。
【００４５】
本体カバー１の側面には長手方向側面に沿って化粧板９が装着され、化粧板９には上方から順に、制御基板３３への操作ボタン３５を覗かせるボタン穴９ａ、ＬＥＤ基板３０からの光照射のためのＬＥＤ用孔９ｂ、外部電源から電池３６を充電するコネクタを接続させるための充電コネクタ用孔９ｃが設けられている。
【００４６】
操作ボタン３５を３回押すと制御基板３３で電力供給信号が制御基板４２に送信され、制御基板４２により電池３６の電力が基板コネクタ用ハウジング３１、圧着基板２８を介して一対のメッシュ電極（電極板）１７に所定時間供給される。メッシュ電極１７に電力供給されると制御基板３３ではＬＥＤ基板３０に電力供給信号を送信し、ＬＥＤ基板３０はＬＥＤを発光させる。これによりユーザは水素ガス発生状態になっていることをＬＥＤ用孔９ｂにより視認することができる。なお、操作ボタン３５を３回押すことをメッシュ電極１７への電源供給の条件としたのはこの水素ガス吸引具１００をユーザがポケット等に投入して移動する際に、意図せずボタン操作し、電力供給されることを回避する安全条件である。
【００４７】
メッシュ電極１７は、２枚一対に上方に向かって長手に並列配置され、それぞれ陽陰極を形成し、電池３６の陽陰極からの電力に対応する。また、メッシュ電極１７の上端は電解槽１０の縮径部４５と貯水本体部４６との境界線に対応するように斜めに切り取られた形状を有する。メッシュ電極１７の下端は、端子基板２８に起立させ電気的に接続できるように棒形状のチタン電極１６が連結されている。メッシュ電極１７を起立させた状態でメッシュ基板１７と端子基板２８とを遮水するために端子基板２８上に装着するパッキン１３（シリコン等の樹脂製）とチタン電極１６の周囲に取り付けるＯリング（シリコン等の樹脂製：以下、Ｏリングは同様）とが設けられている。
【００４８】
電解槽１０は貯水用容器であり、下方から順に、縮径部４５と貯水本体部４６とが一体に形成され、互いに内部で流体的に接続している。貯水本体部４６は上方に開放されて注水可能になっており、電解槽蓋１２を取り付けることで半閉鎖される。電解槽蓋１２は上下に貫通し、アンブレラバルブ２３やスクリューキャップ１４等を受容する貫通開口１２ａが設けられている。貯水本体部４６は、図９に示すように外側部４６ａが上端から下端に亘って横方向に略平坦な側壁を形成し縮径部４５の上端にそのまま連結し、本体カバー１側の内側部４６ｂは上端から中央下方位置までは外側部４６ａに平行に形成され、中央下方位置から折れ曲がって傾斜する底部４６ｃを有する。底部４６ｃは横方向中間位置まで延びて、縮径部４５の上端に連結する。
【００４９】
また、縮径部４５は、上述するように貯水本体部４６より細くなっており、図９に示すように側壁側の外側部４６ａの上端は、貯水本体部４６の外側部４６ａの下端にそのまま連続連結して下端まで延びており、本体カバー１側の内側部４５ｂの上端は、貯水本体部４６の底部４６ｃの先端（縁部）の位置で下方向に屈曲して連結して内側部４５ｂと平行に下端まで延びている。
【００５０】
さらに、貯水本体部４６の外側部４６ａの下端と縮径部４５の外側部４６ａの上端との連結位置では、貯水本体部４６の底部４６ｃと略同一傾斜し開口４５ｃまで延びる仕切り板４５ｄが設けられている。この仕切り板４５ｄは図９の紙面垂直方向全域内部に亘って延びている。したがって、電解槽１０内に溜まっている水溶液が電気分解され貯水量が減った場合であっても常時、縮径部４５の内部略全域に水が貯留することとなる。具体的には貯水量が減って電解槽１０内に一部空気層ができた際に、まず貯水本体部４６より縮径部４５が細いため通常の起立状態では、よほど貯水量が減らない限り縮径部４５は水が充満しており空気層が発生することはない。
【００５１】
さらにある程度貯水量が減った場合でも本水素ガス吸引具１００が傾斜又は横置きした場合に縮径部４５内に空気層が発生することが考えられるが、本電解槽１０の場合はこのような場合でも縮径部４５内に水が充満する。具体的には、例えば、図９の紙面左方向に傾斜した場合には底部４６ｃが邪魔板となり空気層が貯水本体部４６の内側部４６ｂ側に形成される。逆に、図９の紙面右方向に傾斜した場合には仕切り板４５ｄが邪魔板となり空気層が貯水本体部４６の外側部４６ａ側のみに形成される。したがって、縮径部４５内に配設されるメッシュ電極１７は常時、全体が水と接触することとなり、ユーザが横向きで吸っているような場合でも水素発生量を常に確保することができる。
【００５２】
メッシュ電極１７の上端エッジは、上記縮径部４５及び開口４５ｃの形状に沿って縮径部４５内の水に隙間なく電極が浸るように斜めに切り取られて形成されている。再び図７に戻って電解槽１０の下端は電解槽底１１で閉鎖されるが、電解槽底１１はメッシュ電極１７が挿入される一対の貫通孔が設けられ、電解槽１０の縮径部４５をカバー本体１の電解槽受容部４４に挿入するとメッシュ電極１７が電解槽底１１の貫通孔を通過して縮径部４５内に位置決めされる。
【００５３】
電解槽１０の上端の電解槽蓋１２の貫通開口１２ａに装着されるアンブレラバルブ２３等について説明する。貫通開口１２ａには、上方に開口を有して上下に貫通するスクリューキャップ１４が装着され、その際、スクリューキャップ１４の底部の孔と貫通開口１２ａの底部との間にベントフィルタ１８が介層され、スクリューキャップ１４の下方周囲にＯリング２１が挿入される。ベントフィルタ１８は微小な孔でスクリューキャップ１４の開口内の内圧を調整しながら防水・防塵する機能を有する。また、Ｏリング２１はスクリューキャップ１４の開口の外周壁と貫通開口１２ａの内周壁との間を遮水する。
【００５４】
また、スクリューキャップ１４の開口内には上下方向に動作するアンプレラバルブ２３（シリコン等の可撓性を有する素材製）が取り付けられ、ノズル５（後述）をユーザが吸い込み上方に負圧が作用するとアンプレラバルブ２３が上昇動作し、スクリューキャップ１４の底部の貫通孔、電解槽蓋１２の貫通開口１２ａを介して電解槽１０内と流体的に接続する。したがって、ノズル５を吸い込むと電解槽１０内に上昇貯留している水素ガスを外部に放出することとなる。逆にユーザが吸い込みを中断し負圧が作用しない状態になるとアンプレラバルブ２３が下降動作し、スクリューキャップ１４の底部の貫通孔が閉鎖され、電解槽１０内の水素ガスの放出を閉鎖する。
【００５５】
スクリューキャップ１４やアンブレラバルブ２０が装着された電解槽蓋１２は、混合器２が上方から取り付けられる。混合器２は、図９が示すように下方に延びる筒状部材２ａを有し、筒状部材２ａの下端をスクリューキャップ１４の開口に挿入することで筒状部材２ａがアンブレラバルブ２３からの水素ガスを上方に案内する流路を形成する。この筒状部材２ａの外周壁周りにはＯリング２０が設けられ、スクリューキャップ１４の開口内壁との隙間を封止する。
【００５６】
混合器２と電解槽蓋１２との固定にはにロックボタン３、４を取り付けることでなされている。ロックボタン３、４はそれぞれ、混合器２と電解槽蓋１２との上下方向の隙間位置で前後方向（図９の紙面垂直方向）に挟み込んでスナップ留めしている。さらに、図９に示すように混合器２は、その上部でノズル５方向に向かって流路２ｂを設けている。この流路２ｂは、筒状部材２ａで形成された流路と接続しており、図９の矢印に示すように水素ガスを案内する。
【００５７】
次に、本発明の生体の神経活動及び／又は血液循環活動を促進する生体活性化方法を行う水素発生装置として電気分解式水素ガス吸引具１００として所望されるものではないが、ユーザが日常において使用する場合の嗜好性を満足させるために芳香空気の生成する芳香ヒータ部３２が設けられていても良い。
【００５８】
まず、本体カバー１の電池受容部４３の上端開口には電池３６の接点端子３７が挿入される。接点端子３７は、大径円筒の底部と小径円筒の上部とか連結して形成され、底部が電池受容部４３の上端の開口に挿入され、電池３６からの電力を芳香ヒータ部３２に供給する。接点端子３７は十字付きの皿ネジ３８で上方からジョイント３７に締結されている。ジョイント３８は小径円筒の底部と大径略円板状の上部とが連結して形成され、接点端子３７の上部がジョイント３８の底部とが入れ子状に嵌め込まれている。
【００５９】
芳香ヒータ部材３２はジョイント８の上面に載置され、上述する混合器２を取り付ける際に、ジョイント８と混合器２とで挟持されて本体カバー１に固定される。芳香ヒータ部材３２は汎用の装置であり、電力が供給されると内部に芳香付き空気が発生し上方に放出される。また、混合器２には前述する筒状部材２ａと並列して下方に延びる筒状部材２ｃが設けられ、この筒所部材２ｃに芳香ヒータ部３２の上端は接続される。したがって、芳香ヒータ部３２から放出される芳香付き空気は、図９の矢印に示すように筒状部材２ｃを通過し、筒状部材２ａを介して流路２ｂを流れてきた水素ガスと合流してノズル５に流れ込んでユーザの口内に放出される。
【００６０】
ノズル５は、底部の大径の略円板部材と上部の筒状部材とが一体連結する構造であり、その底部が混合器２のヒータ部３２の筒状部材２ｃと流体的に接続する天面の開口上に装着される。これによって、流路２ｂからの水素ガス及び／又は筒状部材２ｃからの芳香付き空気がノズル５内から上端外部に放出されることとなる。なお、ノズル５の底部と混合器２との連結部にはＯリング２２が配設され封止されている。
【００６１】
また、芳香ヒータ部３２は、制御基板３３により電池３６からの電力供給を制御している。上述したようにメッシュ基板１７への電力は本体カバー１に取り付けたボタン３５を３回押すと所定時間供給される。一方、ボタンを長押しすると制御基板３３でメッシュ電極１７への電力供給信号が送信されていないことを条件に接点端子３７を接続し電池３６からの電力が所定時間、芳香ヒータ部３２に供給される。
【００６２】
したがって、ボタン３５を３回押すとユーザがノズル５を吸い込むと水素ガスがノズル５から放出され、所定時間（ＬＥＤ基板３０が発光している間）水素ガス吸引を楽しむことができ、水素ガスが放出されている間に、ボタン３５を長押しすると芳香付きの水素ガスを楽しむことができる。
【００６３】
以上、本発明の生体の神経活動及び／又は血液循環活動を促進する生体活性化方法と、この方法を行うために推奨される水素発生装置として電気分解式水素ガス吸引具１００についてその実施形態を例示説明してきたが、本発明はこれに限定されるものではなく、特許請求の範囲および明細書等の記載の精神や教示を逸脱しない範囲で他の変形例や改良例が得られることが当業者は理解できるであろう。
【産業上の利用可能性】
【００６４】
本発明の生体の神経活動及び／又は血液循環活動を促進する生体活性化方法によれば、所定時間継続して所定濃度の水素ガスを吸引することにより迅速に良好な心理生理的効果を生じさせることができる。とりわけ脳活性化（左右認識、短期間記憶）において顕著である。【００６５】
また、生体の神経活動及び／又は血液循環活動を促進する生体活性化方法を行うために使用される水素発生装置によれば、ユーザが携帯して自由に持ち運べるように充電式で電池を小型かつ安価でありながらも電池内蔵するスペースの確保や電解槽・電池間の遮水を確保し、さらに電解槽内の水分が減った状態で傾斜しても十分な水素ガス発生量を確保することができるため、ユーザが所望すれば場所を選ばず、簡単かつ短時間に上記心理生理的効果を得るべく水素を吸引することができる。
【符号の説明】
【００６６】
１００      電気分解式水素ガス吸引具
１          本体カバー  
２          混合器
１３      水素通過部材
１３ａ    フィルム素材（通気性不浸透性材料）
１４      アンプル部
１５      蓋部材
１６      金属材料
１７      容器本体部
１８      水溶液
１９      閉鎖部材
２０      水素
２２      非反応部
２４      金属粒子層
４０      凸形状部
４１      薄肉部
１００、２００  水素ガス吸引具
１０２  吸引具本体部
１０４  吸引外套部
１０５  キャップ部材    
１０６、２０６  連結部
１０８、２０８  吸口部材
１１０、２１０  フィルムパッキン
１１２  調整弁
１１３、２１３  ウィンドウ
１１４  調整口
１１６  カートリッジ
１１７、２１７  空隙
１１８  Ｏリング
【図１】
0006519717.tif 000006
【図２】
0006519717.tif 000007
【図３】
0006519717.tif 000008
【図４】
0006519717.tif 000009
【図５】
0006519717.tif 000010
【図６】
0006519717.tif 000011
【図７】
0006519717.tif 000012
【図８】
0006519717.tif 000013
【図９】
0006519717.tif 000014
【図１０】
0006519717.tif 000015